(57)【要約】【課題】車両用シートのシートバックトリムの組立工数を低減して、製造コストを節減可能にすると共に、成形時にひけ巣が発生しにくいシートバックトリム構造を実現する。【解決手段】車両用シート１０の背凭れ後面１４ａに配設され背凭れ１４の車幅方向と略同等の幅を有するシートバックトリム１６において、シートバックトリム１６の車幅方向端縁１８間を掛け渡されたアシストグリップ２２をシートバックトリム１６と一体成形してなる。好ましくは、アシストグリップ２２にカップ収納空間２６を有するカップホルダー２４を一体成形し、該カップホルダーの外周２４ａの一部をシートバックトリム１６に連結するようにする。【選択図】図１
2010083374.tif 000002
【特許請求の範囲】
【請求項１】
車両用シートの背凭れ後面に配設され該背凭れの車幅方向と略同等の幅を有するシートバックトリムにおいて、
前記シートバックトリムの車幅方向端縁間に掛け渡されたアシストグリップをシートバックトリムと一体成形してなることを特徴とするシートバックトリム構造。
【請求項２】
前記アシストグリップにカップ収納空間を有するカップホルダーを一体成形し、該カップホルダーの外周の一部を前記シートバックトリムに連結していることを特徴とする請求項１に記載のシートバックトリム構造。
【請求項３】
前記カップホルダーを前記アシストグリップの車幅方向の中間部に位置させたことを特徴とする請求項２に記載のシートバックトリム構造。
【請求項４】
前記アシストグリップの外周面と前記カップホルダーの外周面とを凹凸のない滑らかな連続面に形成させたことを特徴とする請求項２又は３に記載のシートバックトリム構造。
【発明の詳細な説明】
【技術分野】
【０００１】
本発明は、車両用シートの背凭れ後面に配設されるシートバックトリムにおいて、アシストグリップ及びカップホルダーを一体成形して低コスト化したシートバックトリム構造に関する。
【背景技術】
【０００２】
従来、車両用シートの背凭れ後面に配設されるシートバックトリムには、別途製造されたアシストグリップ及びカップホルダー等がビス等によって取り付けられている。
図３に示すように、例えばバスの客席シートなどの車両用シート１００は、クッション性を有するシートクッション１０１とシートバック１０２とからなり、シートバック１０２の後面には、樹脂製のシートバックトリム１０３が被覆されている。
【０００３】
シートバックトリム１０３の上部には、車体の揺れに対して乗客が把持するためのアシストグリップ１０４やカップホルダー１０５が装着され、また、シートバックトリム１０３の下部には、ポケット１０６等が設けられている。
【０００４】
アシストグリップ１０４及びカップホルダー１０５は、別途製造され、ビス等によって取り付けられる。
例えば、特許文献１（特開平８−２６６３６２号公報）には、競技場、劇場又は体育館等に設置されるカップホルダー付き椅子の構成が開示されている。特許文献１には、椅子の背凭れ後面に設けられたくぼみに、シートバックトリム本体とは別個に成形されたカップホルダーをビス、リベット、接着剤等の固着材を用いるか、あるいはアウトサート成形によって固着することが開示されている。
【０００５】
また、特許文献２（特開２００３−１５４８８２号公報）には、車両用シートのシートバックトリムに、カップホルダー孔を有し、収納時と使用時とで姿勢変更可能なテーブル装置を設けることが開示されている。
【０００６】
【特許文献１】特開平８−２６６３６２号公報
【特許文献２】特開２００３−１５４８８２号公報
【発明の開示】
【発明が解決しようとする課題】
【０００７】
特許文献１では、アシストグリップやカップホルダーをシートバックトリム本体とは別個に製造し、これらの部品を後工程でシートバックトリムに装着しているので、部品の製造費、輸送費及び組み付け費等が増大し、高コストになる。
このコストの他に、シートバックトリムの内側に取付けビス等に対応した雌ネジ部及びネジ周辺の補強、取付工数等に要する費用が加算され、非常に高いコストとなる。
【０００８】
また、シートバックトリムに特許文献２に開示されたテーブル装置を設ける場合では、該テーブル装置が複雑な構造をもっているため、さらに高コストとなる。
また、シートバックトリムを射出成形で成形する場合、シートバックトリムの構造が複雑であったり、あるいは厚肉であると、溶融樹脂の凝固収縮によりひけ巣が発生して、強度が低下したり、美観を損ねる問題がある。
【０００９】
本発明はかかる従来技術の問題に鑑み、車両用シートのシートバックトリムの組立工数を低減して、製造コストを節減可能にすると共に、成形時にひけ巣が発生しにくいシートバックトリム構造を実現することを目的とする。
【課題を解決するための手段】
【００１０】
上記課題を解決するため、本発明のシートバックトリム構造は、
車両用シートの背凭れ後面に配設され該背凭れの車幅方向と略同等の幅を有するシートバックトリムにおいて、
前記シートバックトリムの車幅方向端縁間に掛け渡されたアシストグリップをシートバックトリムと一体成形してなるものである。
【００１１】
本発明のシートバックトリム構造では、アシストグリップの両端部をシートバックトリムの車幅方向両端部に一体成形してなるもので、アシストグリップを含めてシートバックトリムを一度の射出成形工程で製造できるので、シートバックトリムの製造工数を低減して、製造コストを削減できる。さらに、アシストグリップをシートバックトリムと一体成形するので、アシストグリップの剛性を高くすることができ、従って、乗員がアシストグリップを安心して利用できる。
【００１２】
本発明において、前記アシストグリップにカップ収納空間を有するカップホルダーを一体成形し、該カップホルダーの外周の一部をシートバックトリムに連結するように構成するとよい。
カップホルダーをアシストグリップに一体成形することにより、乗客の使い勝手が向上すると共に、カップ収納空間を有するカップホルダーなので、シートバックトリムとの連結部が他の部分より異常に肉厚とならず、射出成形時の材料凝固時の応力歪が少なくて済む。従って、射出成形時、ひけ巣の発生が抑制されるため、成形性状が安定するという利点がある。
【００１３】
また、前記構成において、カップホルダーをアシストグリップの車幅方向の中間部に位置させるとよい。アシストグリップの中間部をカップホルダーを介してシートバックトリムに連結するので、アシストグリップの非連結領域を最小とすることができるので、アシストグリップの剛性がさらに向上する。従って、カップホルダーと共にさらに使い勝手が向上する。
【００１４】
また、本発明において、アシストグリップの外周面とカップホルダーの外周面とを凹凸なく滑らかな連続面で形成させるとよい。これによって、射出成形時にアシストグリップ又はカップホルダーの外周面に引け巣が発生しにくくなる。仮にひけ巣が発生したとしても、アシストグリップ又はカップホルダーの内周面側に発生するので、アシストグリップの美観を損ねることがない。
【発明の効果】
【００１５】
本発明のシートバックトリム構造によれば、車両用シートの背凭れ後面に配設され該背凭れの車幅方向と略同等の幅を有するシートバックトリムにおいて、シートバックトリムの車幅方向端縁間を掛け渡されたアシストグリップをシートバックトリムと一体成形したことにより、シートバックトリムの製造工数を低減して、製造コストを削減できると共に、アシストグリップの剛性を高くすることができるので、乗員がアシストグリップを安心して利用できる。
【００１６】
さらに、アシストグリップをシートバックトリムと一体成形するので、アシストグリップの剛性を高くすることができ、従って、乗客がアシストグリップを安心して利用できる。
【発明を実施するための最良の形態】
【００１７】
以下、図面を参照して本発明の好適な実施形態を例示的に詳しく説明する。但しこの実施形態に記載されている構成部品の寸法、材質、形状、その相対的配置等は特に特定的な記載がない限りは、この発明の範囲をそれに限定する趣旨ではない。
【００１８】
（実施形態１）
本発明構造の第１実施形態を図１に基づいて説明する。図１は、例えば観光バス等に設置された客席シートを示す。図１において、客席シート１０は、座席部を構成するシートクッション１２と、背凭れ部を構成するシートバック１４とからなる。
シートバック１４はシートクッション１２に対して傾動可能になっており、シートバック１４の後面１４ａは、下部から上部近辺にかけて樹脂製のシートバックトリム１６で覆われている。
【００１９】
シートバックトリム１６の周縁部１８は、一定幅を有する平面をなし、周縁部１８の内側面２０は、周縁部１８に対してすこし窪んだ曲率半径の大きい円弧状の曲面を形成している。なお、図３に示すように、シートバックトリム１６の下部にポケット等を装着する場合もある。
【００２０】
シートバックトリム１６の上部付近には、シートバックトリム１６の両側周縁部１８にシートバックトリム１６と一体となったアシストグリップ２２が水平方向（車幅方向）に掛け渡されている。
アシストグリップ２２は、シートバックトリム１６の成形時に一体成形される。アシストグリップ２２は、上下方向断面において、角部にＲ部が形成された四角形断面を有する棒状をなすが、左端にはカップホルダー部２４が形成されている。カップホルダー部２４が形成された部分の外周面２４ａは、シートバックトリム１６と一体となるように連結されている。
【００２１】
カップホルダー部２４は、紙コップ等を収納できる大きさを有する円筒状の空間２６が形成されている。円筒状空間２６の底部はリング状に内側に突出した支持部２８が形成され、支持部２８で紙コップ等の容器を支持するようになっている。また、該支持部２８以外は開口２６ａを形成し、該開口２６ａによって、円筒状空間２６の内部に容器からこぼれた飲料やごみが溜まらないようになっている。
カップホルダー部２４を含め、アシストグリップ２２の外周面は小さな凹凸を有した梨地模様をなしており、これによって、シートバックトリム１６の射出成形時にアシストグリップ２２の外周面にひけ巣が発生しても目立たないようにしている。
【００２２】
かかる構成の本実施形態によれば、アシストグリップ２２はシートバックトリム１６の成形時に一体成形するので、ビス等を用いた取付工数を削減できると共に、ビス取付けに対応した雌ネジ部及びネジ周辺部の補強工程が不要となる。そのため、シートバックトリム１６の製造コストを削減できる。
【００２３】
また、アシストグリップ２２の両端部及びカップホルダー部２４の内周面２４ａをシートバックトリム１６と一体に連結しているので、アシストグリップ２２の取付強度を高めることができ、従って、乗客が安心してグリップを利用できる。
【００２４】
また、カップホルダー部２４を形成しているので、乗客の使い勝手が向上すると共に、カップホルダー部２４が円筒状空間２６を有しているので、カップホルダー部２４とシートバックトリム本体との連結部が他の部分より異常に肉厚とならない。
そのため、シートバックトリム形成時に材料凝固時の応力歪が少なくて済み、ひけ巣の発生が抑制される。従って、アシストグリップ２２生造時の欠陥を低減できる。
【００２５】
さらに、アシストグリップ２２の外周面をカップホルダー部２４の形成部分を含めて、小さな凹凸を有した梨地模様に形成しているので、成形時にアシストグリップ２２の外周面にひけ巣の目立つのを防止できる。
【００２６】
（実施形態２）
次に、本発明の第２実施形態を図２に基づいて説明する。図２に示す車両用シート３０は、シートバックトリム１６に一体成形されるアシストグリップ３２において、カップホルダー部３４が前記第１実施形態とは異なる位置に配置されている。カップホルダー部３４は、中央に円筒状空間３６を有し、円筒状空間３６の下端部には、前記第１実施形態と同様のリング状支持部３８及び開口３６ａを形成している。前記構成以外の部分は第１実施形態と同一構成であり、同一構成部分については図１と同一符号を付している。
【００２７】
本実施形態のアシストグリップ３２は、カップホルダー部３４が中央に配置されている。
そして、カップホルダー部３４の外周面３４ａがシートバックトリム１６の内側面３０と連結するように一体成形される。また、補強部４０の外周面がシートバックトリム１６と連結するように一体成形されている。
本実施形態のシートバックトリム１６によれば、カップホルダー部３４をアシストグリップ３２の中央部に配置しているので、アシストグリップ３２の非連結領域の長さを最小限にすることができる。
【００２８】
そのため、本実施形態によれば、前記第１実施形態の作用効果に加えて、アシストグリップ３２の強度が前記第１実施形態のアシストグリップ２２と比べてさらに向上すると共に、カップホルダー部３４がアシストグリップ３２の中央に配置されているので、乗客の使い勝手も向上する。
【産業上の利用可能性】
【００２９】
本発明によれば、車両用シートに適用されるシートバックトリムの製造工数を簡素化できて、製造コストを節減できると共に、利用者の使い勝手を向上でき、かつひけ巣の発生を抑えて剛性を確保でき、バス等の大型車両又は小型車両の区別なく適用可能である。
【図面の簡単な説明】
【００３０】
【図１】本発明の第１実施形態に係る車両用シートの斜視図である。
【図２】（ａ）は本発明の第２実施形態に係る車両用シートの斜視図であり、（ｂ）は平面視断面図である。
【図３】従来の車両用シートの斜視図である。
【符号の説明】
【００３１】
１０，３０          車両用シート
１４                シートバック(背凭れ)
１４ａ              シートバック後面
１６                シートバックトリム
１８                周縁部
２０                内側面
２２，３２          アシストグリップ
２４，３４          カップホルダー部
２６，３６          円筒状空間
２８，３８          リング状支持部
２６ａ、３６ａ      開口
【図１】
2010083374.tif 000003
【図２】
2010083374.tif 000004
【図３】
2010083374.tif 000005